(57)【要約】【課題】運転者などのユーザが車両を下車し得るときに、必要以上に報知されるのを防止する。【解決手段】警報装置１は、運転者が長時間の間、車両を離れるであろう位置を登録位置として記憶する記憶部１８と、車両の現在位置を示すＧＰＳ信号を受信するＧＰＳ受信部１０と、ＥＴＣ装置１００にＩＣカード１０４が挿入されているかを検出するＩＣカード挿入検出部１４とを備えている。そして、警報装置１は、車両が登録位置に停車したとき、ＥＴＣ装置１００にＩＣカード１０４が挿入されている場合に、警報を発する。【選択図】　　　図１
2004110639.tif 000002
【特許請求の範囲】
【請求項１】
予め設定された位置を設定位置として記憶する記憶手段を具備し、
車両が停車したと推定されたときに、前記車両の現在位置が前記設定位置と略一致する場合、車両の車室内への置き忘れを防止すべき対象物が車載機器に接続または装着されていれば報知する
ことを特徴とする報知装置。
【請求項２】
前記設定位置は、
前記車両が停車した場合に、当該車両の運転者が長時間の間、当該車両を離れ得る位置である
ことを特徴とする請求項１に記載の報知装置。
【請求項３】
ＧＰＳによる測位情報を受信する手段を更に備え、
前記測位情報に基づいて現在位置を推定する
ことを特徴とする請求項１に記載の報知装置。
【請求項４】
前記対象物は、記録媒体であり、
前記車載機器は、前記記録媒体に記録されたデータを読み取る読取手段を備える
ことを特徴とする請求項１に記載の報知装置。
【請求項５】
前記車載機器は、前記記録媒体にデータを書き込む書込手段を備え、
前記書込手段が前記記録媒体にデータを書き込みしているときに、車両のアクセサリ用電源が切断された場合にも報知する
ことを特徴とする請求項４に記載の報知装置。
【請求項６】
前記対象物は、携帯電話機である
ことを特徴とする請求項１に記載の報知装置。
【発明の詳細な説明】
【０００１】
【発明の属する技術分野】
本発明は、携帯型電子機器または記録媒体などが車両の車室内に置き忘れられることを防止するための報知装置に関する。
【０００２】
【従来の技術】
近年、自動車などの車室内には、オーディオ機器やカーナビゲーション装置、自動料金収受（ＥＴＣ：Ｅｌｅｃｔｒｏｎｉｃ　Ｔｏｌｌ　Ｃｏｌｌｅｃｔｉｏｎ）装置、ハンズフリー通話装置といった車載機器が設置されている。運転者などのユーザは、通常、これらの車載機器に、記録媒体や携帯型電子機器を接続して使用する。例えば、ＥＴＣ装置には、課金情報などを記録するためのＩＣカードが挿入され、また、ハンズフリー通話装置には、携帯電話機が接続される。
【０００３】
また、最近では、運転者が車載機器に記録媒体や携帯型電子機器を接続などしたまた、車両を離れる恐れがある場合に、盗難防止のための警報を発する技術が多数提案されている。例えば、ＩＣカードがＥＴＣ装置に挿入されている状態で、自動車のエンジンが停止したときに、ＩＣカードの抜き忘れを防止するために警報を発する技術が提案されている（例えば、特許文献１乃至３参照）。また、例えば、携帯電話機がハンズフリー通話装置に接続されている状態で、ドアの開閉があったとき、または、イグニッションキーが抜かれたときに、警報を発する技術が提案されている（例えば、特許文献４参照）。
【０００４】
【特許文献１】
特開２０００−３１５２６７号公報
【特許文献２】
特開２００１−１４５００号公報
【特許文献３】
特開２００１−２９７３４８号公報
【特許文献４】
特開平１０−３１５８７６号公報
【０００５】
【発明が解決しようとする課題】
しかしながら、上記従来技術のように、運転者が車から離れる恐れがあるときに、常に、警報が発せられると、運転者にとってかえって煩わしい場合がある。具体的には、運転者が買い物などのために短時間だけ車両を離れるような場合には、車載機器に電子機器を接続したままであっても、携帯型電子機器などの盗難の可能性は比較的低く、このような場合に発せられる警報は、運転者にとって煩わしいものとなる。
【０００６】
本発明は、上述した事情に鑑みてなされたものであり、運転者などのユーザが車両を下車し得るときに、必要以上に報知されるのを防止できる報知装置を提供することを目的とする。
【０００７】
【課題を解決するための手段】
上記目的を達成するために、請求項１に記載の発明は、予め設定された位置を設定位置として記憶する記憶手段を具備し、車両が停車したと推定されたときに、前記車両の現在位置が前記設定位置と略一致する場合、車両の車室内への置き忘れを防止すべき対象物が車載機器に接続または装着されていれば報知する報知装置を提供する。
【０００８】
また、請求項２に記載の発明は、請求項１に記載の発明において、前記設定位置は、前記車両が停車した場合に、当該車両の運転者が長時間の間、当該車両を離れ得る位置であることを特徴とする。
【０００９】
また、請求項３に記載の発明は、請求項１に記載の発明において、ＧＰＳによる測位情報を受信する手段を更に備え、前記測位情報に基づいて現在位置を推定することを特徴とする。
【００１０】
また、請求項４に記載の発明は、請求項１に記載の発明において、前記対象物は、記録媒体であり、前記車載機器は、前記記録媒体に記録されたデータを読み取る読取手段を備えることを特徴とする。
【００１１】
また、請求項５に記載の発明は、請求項４に記載の発明において、前記車載機器は、前記記録媒体にデータを書き込む書込手段を備え、前記書込手段が前記記録媒体にデータを書き込みしているときに、車両のアクセサリ用電源が切断された場合にも報知することを特徴とする。
【００１２】
また、請求項６に記載の発明は、請求項１に記載の発明において、前記対象物は、携帯電話機であることを特徴とする。
【００１３】
【発明の実施の形態】
以下、図面を参照して本発明の実施の形態について説明する。
＜第１実施形態＞
本実施形態では、ＩＣカードがＥＴＣ装置に挿入されたまま、運転者が自動車から下車する恐れがある場合に、置き忘れ防止のための警報を発する警報装置について例示する。
【００１４】
図１は、本実施形態にかかる警報装置１の機能的構成を示すブロック図である。この図において、制御部１０は、ＣＰＵ（Ｃｅｎｔｒａｌ　Ｐｒｏｃｅｓｓｉｎｇ　Ｕｎｉｔ）を備え、各部を制御する。電源監視部１２は、ＥＴＣ装置１００への電力供給状態を監視するものである。より具体的には、ＥＴＣ装置１００には、車両のＡＣＣ（アクセサリ）用の電源であるＡＣＣ電源（不図示）から駆動電力が供給されており、電源監視部１２は、このＡＣＣ電源の電圧値を測定し、ＥＴＣ装置１００への電力供給のオン／オフを検出する。これにより、運転者などがエンジンキー（イグニションスイッチ）を操作して、ＡＣＣ電源をオフにしたかが検出されることになる。なお、警報装置１には、ＡＣＣ電源からの電力の他に、＋Ｂ電源（不図示）からの電力も供給されており、ＡＣＣ電源がオフになっても電力が供給される構成となっている。
【００１５】
ＩＣカード挿入検出部１４は、ＥＴＣ装置１００が備えるリード／ライト部１０２にＩＣカード１０４が挿入されているか否かを検出するものであり、検出結果を制御部１０に出力する。
【００１６】
ＧＰＳ受信部１６は、測位情報を含むＧＰＳ（Ｇｌｏｂａｌ　Ｐｏｓｉｔｉｏｎｉｎｇ　Ｓｙｓｔｅｍ）信号をＧＰＳ衛星１１０から受信し、制御部１０に出力する。制御部１０は、このＧＰＳ信号に基づいて車両の現在位置を推定する。なお、現在位置の推定精度を向上させるために、車速パルスやジャイロセンサなどを併用する構成としても良いし、また、地上に設置されたＧＰＳ補正局からの補正データに従って現在位置を補正する構成としても良い。
【００１７】
記憶部１８は、例えばハードディスク装置などの記憶装置を備え、制御部１０によって実行される制御プログラムや、各種データを記憶する。ここで、これらのデータには、登録位置データが含まれている。登録位置データは、その位置に車両が停車した場合には、運転者が長時間の間、車を離れるであろう位置を示すデータであり、運転者などによって予め登録される。この登録位置データとしは、例えば、運転者の自宅の位置や職場の位置などがある。
【００１８】
操作部２０は、運転者などによって操作される複数の操作子を備え、例えば、登録位置データの登録などに使用される。表示部２２は、例えば液晶パネルおよび液晶駆動回路などを備え、制御部１０の制御の下、各種情報を表示する。放音部２４は、スピーカなどを備え、制御部１０の制御の下、警告音を放音する。
【００１９】
次いで、警報装置１の動作について説明する。図２は、警報装置１の制御部１０によって実行される処理手順を示すフローチャートである。この図に示すように、制御部１０は、自装置１に電力が供給されると、ＥＴＣ装置１００に電力が供給されているかを検出すべく、ＡＣＣ電源がオフになったか否かを間欠的に検出する（ステップＳａ１）。この判別結果がＮＯであれば、運転者が下車することはないと推定されるため、制御部１０は、処理手順をステップＳａ１に戻す。一方、ステップＳａ１における判別結果がＹＥＳであれば、車両が停車されたことを意味し、運転者が下車する可能性があると推定される。そこで、制御部１０は、ＩＣカード１０４の置き忘れを防止すべく次の処理を実行する。すなわち、制御部１０は、ＧＰＳ受信部１６によって受信されたＧＰＳ信号から現在位置を推定し（ステップＳａ２）、この現在位置が登録位置と略一致するか否かを判別する（ステップＳａ３）。この判別結果がＮＯであれば、車両は、運転者が登録した位置でない場所に停車していることを意味し、運転者が下車したとしても、短時間で戻ると推定されるため、制御部１０は、処理を終了する。一方、ステップＳａ３における判別結果がＹＥＳであれば、運転者は、長時間の間、戻ってこないと推定されるため、ＩＣカード１０４の置き忘れを防止すべく、制御部１０は、次の処理を実行する。
【００２０】
すなわち、制御部１０は、ＩＣカード挿入検出部１４の検出結果に従って、ＥＴＣ装置１００にＩＣカード１０４が挿入されているか否かを判別する（ステップＳａ４）。この判別結果がＮＯであれば、ＩＣカード１０４は、すでに抜取られていため、制御部１０は、処理を終了する。一方、ステップＳａ４における判別結果がＹＥＳであれば、制御部１０は、運転者に対してＩＣカード１０４の抜き忘れを報知すべく、放音部２４に警告音を放音させ（ステップＳａ５）、処理を終了する。
【００２１】
このように、本実施形態によれば、置き忘れ防止のための警告音が発せられるのは、運転者などが車を長時間離れると推定される位置に車両が停車し、かつ、ＥＴＣ装置１００にＩＣカード１０４が挿入されている状態でＡＣＣ電源がオフになったときにだけである。従って、運転者が短時間だけ車を離れるといった防犯上、警報を発する必要性が乏しい場合には、警報が発せられることが防止されることとなる。
【００２２】
＜第２実施形態＞
上述した第１実施形態においては、ＩＣカード１０４の置き忘れを防止すべく警告音を発する装置について説明した。しかしながら、警告音の発生に応じて運転者などがＩＣカード１０４をＥＴＣ装置１００から無造作に取り出そうとすると、ＥＴＣ装置１００がＩＣカード１０４にアクセス中である場合には、このＩＣカード１０４を破損する恐れがある。そこで、本実施形態では、ＩＣカード１０４などの記録媒体を車載装置から抜き出すタイミングを適切に報知することのできる警報装置について説明する。
【００２３】
図３は、本実施形態にかかる警報装置１’の機能的構成を示すブロック図である。この図に示すように、警報装置１’が第１実施形態の警報装置１と大きく異なる点は、リードＡ／ライト検出部３０を備える点、および、電源監視部１２の代わりに電源制御部３２を備える点である。リード／ライト検出部３０は、ＥＴＣ装置１０２のリード／ライト部１０２がＩＣカード１０４に対してデータの読み出し、または、書込みを行っているかを検出し、検出結果を制御部１０に出力するものである。
【００２４】
電源制御部３２は、ＥＴＣ装置１００に供給される電力を制御するものである。より具体的には、電源制御部３２には、ＡＣＣ電源１２０と、＋Ｂ電源１２２との２系統の電源が電気的に接続されており、ＡＣＣ電源１２０がオンの場合には、ＡＣＣ電源１２０の電力をＥＴＣ装置１００に供給する一方、ＡＣＣ電源１２０がオフになった場合には、＋Ｂ電源１２２の電力をＥＴＣ装置１００に供給するための論理回路を備えている。なお、＋Ｂ電源１２２からの電力をＥＴＣ装置１００に供給する期間は、制御部１０によって制御されている。すなわち、ＡＣＣ電源１２０がオフになったときには、制御部１０によって指示されるまで、＋Ｂ電源１２２からの電力がＥＴＣ装置１００に供給されるため、リード／ライト部１０２がＩＣカード１０４にアクセスしている最中に、ＥＴＣ装置１００への電力供給が停止するのが防止される。
【００２５】
次いで、本実施形態にかかる警報装置１’の動作について説明する。図４は、警報装置１’の処理手順を示すフローチャートである。この図に示すように、警報装置１’の制御部１０は、間欠的に、ＡＣＣ電源１２０がオフになったか否かを判断し（ステップＳｂ１）、この判別結果がＮＯであれば、制御部１０は、処理手順をステップＳｂ１に戻す。一方、ステップＳｂ１の判別結果がＹＥＳの場合、制御部１０は、リード／ライト部１０２がＩＣカード１０４に対してアクセス中かを判別する（ステップＳｂ２）。この判別結果がＹＥＳであれば、制御部１０は、ＩＣカード１０４が抜き出されるのを防止するための警告音を所定時間の間、発生させた後（ステップＳｂ３）、アクセスが終了したかを検出するために、処理手順をステップＳｂ２に戻す。これらの処理によって、ＡＣＣ電源１２０がオフになったときに、リード／ライト部１０２がＩＣカード１０４に対してアクセス中である間は、抜き出し防止のための警告音が発せられることとなる。なお、警告音を発する代わりに、例えば表示部２２に「ＩＣカードにアクセス中です。」といった旨の表示することにより、ＩＣカード１０４の抜き出しを防止するための報知を行っても良い。
【００２６】
さて、ステップＳｂ２の判別結果がＮＯである場合には、制御部１０は、ＩＣカード１０４の置き忘れを防止するための処理を行う。すなわち、制御部１０は、ＧＰＳ受信部１６によって受信されたＧＰＳ信号から現在位置を推定し（ステップＳｂ４）、この現在位置が登録位置と略一致するか否かを判別する（ステップＳｂ５）。この判別結果がＮＯであれば、運転者が下車したとしても、短時間で戻ると推定されるため、制御部１０は、処理を終了する。一方、ステップＳｂ５における判別結果がＹＥＳであれば、運転者は、長時間の間、車両を離れると推定されるため、ＩＣカード１０４の置き忘れを防止すべく、制御部１０は、次の処理を実行する。
【００２７】
すなわち、制御部１０は、ＩＣカード挿入検出部１４の検出結果に従って、ＥＴＣ装置１００にＩＣカード１０４が挿入されているか否かを判別する（ステップＳｂ６）。この判別結果がＹＥＳであれば、制御部１０は、運転者に対してＩＣカード１０４の抜き忘れを報知すべく、放音部２４に警告音を放音させた後（ステップＳａ７）、ＩＣカード１０４が抜き出されたかを検出すべく、処理手順をステップＳｂ６に戻す。そして、ＩＣカード１０４が挿入されていなければ（ステップＳｂ６：ＮＯ）、警告する必要がないため、制御部１０は、電源制御部３２を制御して、＋Ｂ電源１２２からＥＴＣ装置１００への電力供給を停止させ（ステップＳｂ８）、処理を終了する。
【００２８】
このように、本実施形態によれば、ＥＴＣ装置１００がＩＣカード１０４にアクセス中であるときに、ＡＣＣ電源１２２がオフになった場合、すなわち、運転者が下車するに伴いＩＣカード１０４が抜き出される可能性のある場合に、抜き出しを防止すべく警報が発せられる。従って、ＥＴＣ装置１００がＩＣカード１０４にアクセス中であるときに、運転者が不用意にＩＣカード１０４を抜き出すことが防止されることとなる。さらに、警報装置１’によるアクセスが終了した後に、ＩＣカード１０４が挿入されたままであり、かつ、車両の停車位置が登録位置、すなわち、運転者が長時間、車両を離れるであろう位置であれば、置き忘れ防止のための警報が発せられることとなる。
【００２９】
＜変形例＞
上述した各実施形態は、あくまでも例示であり、本発明の範囲内で任意に変形可能である。そこで、以下に各実施形態の変形例について説明する。
【００３０】
（１）上述した各実施形態において、車両の現在位置を取得するためにＧＰＳを用いる構成を例示したが、これに限らず、例えば、携帯電話機やＰＨＳ（Ｐｅｒｓｏｎａｌ　Ｈａｎｄｙ　Ｐｈｏｎｅ）などを利用しても良い。
【００３１】
（２）上述した各実施形態において、運転者が車両から下車し得るかを判別するために、ＡＣＣ電源１１０がオフになったかを検出する構成を例示した。しかしながら、これに限らず、例えば、運転席側のドアの開閉を検出する構成や、パーキングブレーキがかけられたかを検出する構成、運転席に人が居るかを検出する構成により判別しても良い。
【００３２】
（３）上述した各実施形態において、警報音が放音部２４から発せられる構成について例示したが、これに限らず、運転者などのユーザに報知し得るものであれば、如何なる構成であっても良い。例えば、表示部２２に警報の旨を示すメッセージを表示させる構成であっても良い。
【００３３】
（４）上述した各実施形態において、車載装置としてＥＴＣ装置１００を例示したがこれに限らず、カーオディオ装置やカーナビゲーション装置、ハンズフリー通話装置などであっても良い。車載装置がハンズフリー通話装置である場合には、置き忘れ防止の対象となるのは、携帯電話機である。この場合、車載機器であるハンズフリー通話装置２００と、携帯型電子機器である携帯電話機１０６とは、図３に示すように、例えばＢｌｕｅｔｏｏｔｈ規格に準拠した近距離無線通信により相互にデータ通信可能に接続される構成でも良く、また、有線にて接続される構成であっても良い。この構成において、警報装置１’’は、ハンズフリー通話装置２００の携帯電話機１０６との通信インターフェースである通信部２０２の通信状態を検出する接続検出部４０を備え、携帯電話機１０６がハンズフリー通話装置２００に通信可能に接続されているかを検出する。そして、各実施形態にて説明したように、車両が登録位置に停車しており、かつ、運転者が下車し得る場合に、携帯電話機１０６が通信可能に接続されていれば、警報装置１’が警報を発することとなる。
【００３４】
（５）上述した実施形態および各変形例において、警報装置１、１’および１’’は、車載機器（例えば、ＥＴＣ装置１００）と別体とする構成について例示したが、これに限らず、車載機器に組み込まれた構成であっても良い。
【００３５】
（６）上述した各実施形態において、ユーザが登録位置を登録する際の利便性を図るために、記憶部１８に地図データを記憶させておき、ユーザが所定の位置を登録する際に、地図を表示部２２に表示させ、ユーザによって地図上で指定された位置を登録位置として取得する構成としても良い。
【００３６】
【発明の効果】
以上説明したように、本発明によれば、運転者などのユーザが車両を下車し得るときに、必要以上に報知されるのを防止できる報知装置が提供される。
【図面の簡単な説明】
【図１】本発明の第１実施形態にかかる警報装置の構成を周辺構成とともに示す図である。
【図２】同警報装置の動作を説明するためのフローチャートである。
【図３】本発明の第２実施形態にかかる警報装置の構成を周辺構成とともに示す図である。
【図４】同警報装置の動作を説明するためのフローチャートである。
【図５】本発明の変形例にかかる警報装置の構成を周辺構成とともに示す図である。
【符号の説明】
１’、１’’　警報装置
１０　制御部
１２　電源監視部
１４　ＩＣカード挿入検出部
１６　ＧＰＳ受信部
１８　記憶部
３０　リード／ライト検出部
３２　電源制御部
４０　接続検出部
１００　ＥＴＣ装置
１０４　ＩＣカード
１０６　携帯電話機
【図１】
2004110639.tif 000003
【図２】
2004110639.tif 000004
【図３】
2004110639.tif 000005
【図４】
2004110639.tif 000006
【図５】
2004110639.tif 000007